(57)【特許請求の範囲】
【請求項１】
上面を開口した引き出し式の中ケースをケース本体の正面に設けた開口から引き出し自在とした収納ケースにおいて、中ケースの高さを前端に向かって漸次低くなるように設定し、一方、中ケースが進退するケース本体の内側の高さを中ケースに対応して前端に向かって漸次低くなるように設定すると共に、中ケースがケース本体内に収容された状態において中ケースの上端部がケース本体内側の天板に接触するように設定し、更にケース本体内側の底板の開口付近に、中ケースが転動自在に載置されるべき車輪を回転自在に設けたことを特徴とする収納ケース。
【請求項２】
車輪の両端に突設した軸を、ケース本体内側の底板に設けた車輪回転スペースの両端に設けた溝部に落とし込むことにより、車輪をケース本体内側の底板に回転自在に設ける手段とした請求項１記載の収納ケース。
【発明の詳細な説明】
【０００１】
【発明の属する技術分野】
この発明は引出し式の中ケースを備えた収納ケースに関する。
【０００２】
【従来の技術】
衣類や日用品を収容するための引出し式の中ケースを備えたプラスチック製の収納ケースが公知である。この種の収納ケースは箱状や枠体状のケース本体に上面を開口した引き出し式の中ケースを収容し、この中ケースをケース本体正面に設けた開口から引き出し自在とした構成からなり、多段式に積み重ねられて使用されるのが一般的な使用法であった（公知例としては例えば特開平１０−１１３２３５、特開平９−１０３３２８等）。
【０００３】
【発明が解決しようとする課題】
上記の収納ケースはプラスチックにより成形されることにより、木やスチールを切り出して組み立てたものに比し低コストで提供することが可能なので、押し入れやクローゼット内の収納用として人気があった。ところで、この場合、中ケースをケース本体内に収容した状態においては中ケースの上面の開口は密閉されることが望ましく、特に埃が充満しやすい押し入れやクローゼット内における使用に際してはこの点が十分配慮されなければならなかった。
【０００４】
そこで、中ケースの上端部をケース本体内側の天板に接触させることにより上面の開口を密閉させることが必要となるが、その場合には中ケースがケース本体に対して進退する際に中ケースがケース本体内側にきつく嵌め合わされて滑りが悪くなるおそれがあった。それを防止するためには寸法精度を高くとることが必要となるが、その場合にはプラスチックにより成形される手軽なこの種の収納ケースの製造コストを上昇させてしまう問題を生じた。
【０００５】
【課題を解決するための手段】
この発明は以上の従来技術の問題点に鑑みて創作されたものであり、中ケースの滑りを損なわないで密閉性を実現する収納ケースを簡易な構成により提供することを目的とする。
【０００６】
即ち、この発明の収納ケースは上面を開口した引き出し式の中ケースをケース本体の正面に設けた開口から引き出し自在とした収納ケースにおいて、中ケースの高さを前端に向かって漸次低くなるように設定し、一方、中ケースが進退するケース本体の内側の高さを中ケースに対応して前端に向かって漸次低くなるように設定すると共に、中ケースがケース本体内に収容された状態において中ケースの上端部がケース本体内側の天板に接触するように設定し、更にケース本体内側の底板の開口付近に、中ケースが転動自在に載置されるべき車輪を回転自在に設けたことを特徴とする。
【０００７】
図１乃至図４はこの発明の作用を模式的に示した図である。図において中ケース５は底板６が前端に向かってせり上がるテーパー状とされることにより、後端Ａ１より前端Ｂ１に向かって高さが漸次低くなるように設定される。一方、ケース本体１は中ケース５に対応して内側の底板３が前端に向かってせり上がるテーパー状とされることにより、後端Ａ２より前端Ｂ２に向かって高さが漸次低くなるように設定される（図１参照）。そして両者は中ケース５がケース本体１内に収容された状態において、中ケースの上端部がケース本体内側の天板２に接触するように設定される（図４参照）。
【０００８】
上記の場合、中ケース５が引き出されている状態では高さが低いその前端付近は、ケース本体２の内側の高さが高い部分に位置しているので、中ケースの上下がケース本体の内側の底板３と天井部２間に挟み込まれることはない。即ち、この状態において中ケース５の後方が重く後傾している場合は、中ケースとケース本体２が接触するのは車輪４部分と、中ケース後端の上方角部とケース本体の天井のＸ部分であり（図２参照）、中ケース５の前方が重く前傾している場合は、同じく中ケース後端の下方角部とケース本体の底板のＹ部分である（図３参照）。よって、この発明によれば中ケース５は前後の２点のみがケース本体２と接触して進退し、しかもこのうちの一点は車輪による転動なので、極めてスムーズに進退する作用が得られる。
【０００９】
【発明の実施の形態】
次に、この発明の具体的実施例を添付図面に基づいて説明する。図３乃至図８はこの発明を多段式に積み重ね可能な収納ケースに実施した例を示す図であり、ここではプラスチックにより構成されることを想定している。図中符合１０はケース本体であり、ここでは後端を閉塞し、前方を開口１３とした断面矩形の鞘の両側の壁面の中央及び底板１１の中央を大きく切り欠いた枠体状としている（両側の壁面の切り欠きについては図７、底板の切り欠きについては図８参照）。
【００１０】
図中２０は上記のケース本体１０内に引き出し自在に収容される中ケースであり、上面のみを開放し残る５面を閉塞した引き出し状とされる。この中ケース２０は底板２２が前端に向かってせり上がるテーパー状とされることにより、後端より前端に向かって高さが漸次低くなるように設定される。一方、ケース本体１は中ケース５に対応して内側の底板３が前端に向かってテーパー状とされることにより、後端より前端に向かって高さが漸次低くなるように設定される。そして、この場合両者は中ケース２０がケース本体１０内に収容された状態において、中ケースの上端２１がケース本体内側の天板２２に接触するように設定される。
【００１１】
以上の中ケース２０はケース本体１０に対して摺動及び転動によって引き出される。図８はその詳細を示す図である。この実施例においてはケース本体１０の底板１１の上面の両側には中ケース２０の底板２２が摺動すべきレール状の一対の隆起部１８、１８が前後方向に渡って突設されると共に、底板のケース本体の開口１３付近の両側に中ケースの底板が転動すべき一対の車輪１６、１６が回転自在に設けられる。
【００１２】
この実施例においては、上記の車輪１６はプラスチックにより両端に軸１７、１７が突設した形状に一体成形される。一方、ケース本体１０の底板１１にはこの車輪１６が回転自在に収容される車輪回転スペース１４が凹設され、この車輪回転スペースの両端に設けた一対の溝部１５、１５に車輪の軸１７、１７を落とし込むことにより、車輪を底板に回転自在に設ける手段としている。
【００１３】
【発明の効果】
以上の構成よりなるこの発明は次の特有の効果を奏する。
▲１▼中ケースの収容時に中ケースの上端部がケース本体内側の天板に接触するので中ケースの上面の開口が密閉され、埃等の侵入が防止される。
▲２▼中ケースの引き出し時には中ケースの上端部はケース本体内側の天板から離れるので、中ケースがケース本体内側にきつく嵌め合わされて滑りが悪くなるおそれがない。
▲３▼中ケースは前後の２点のみがケース本体と接触して引き出され、しかもこのうちの一点は車輪による転動なので、極めてスムーズに引き出されることが可能となる。
▲４▼上記の車輪はケース本体の底板上面に設けられるので、実施例のように、車輪の両端に突設した軸をケース本体内側の底板に設けた車輪回転スペースの両端に設けた溝部に落とし込むだけで車輪を回転自在に設ける構成を採用した場合は、極めて簡易な構造で車輪を採用することが可能となり、車輪の採用によるコストアップが避けられる。
【図面の簡単な説明】
【図１】  この発明の作用を示すための模式的な構造の収納ケースの断面図。
【図２】  この発明の作用を示すための模式的な構造の収納ケースの断面図。
【図３】  この発明の作用を示すための模式的な構造の収納ケースの断面図。
【図４】  この発明の作用を示すための模式的な構造の収納ケースの断面図。
【図５】  この発明の収納ケースの実施例の断面図。
【図６】  同上、正面図。
【図７】  同上、側面図。
【図８】  同上、車輪付近の要部の斜視図。
【符号の説明】
１０        ケース本体
１１        底板
１２        天板
１６        車輪
２０        中ケース
２２        底板
【図１】
0003693288.tif 000002
【図２】
0003693288.tif 000003
【図３】
0003693288.tif 000004
【図４】
0003693288.tif 000005
【図５】
0003693288.tif 000006
【図６】
0003693288.tif 000007
【図７】
0003693288.tif 000008
【図８】
0003693288.tif 000009